(57)【要約】【課題】入室時に部屋の使用者の携帯電話を保管して預かることで、個人レベルの入退室管理を行うと共に入退室管理のレベルの向上を図り、さらに携帯電話による情報漏洩を抑える等のより多様な管理機能を有する入退室管理システムを提供することを目的とする。【解決手段】入退室管理対象を使用する使用者が入力する使用者識別情報による個人認証成立および該使用者の携帯電話から読み出した携帯電話番号の正当性に基づき携帯電話を保管して預かることを条件に該使用者に入室許可を与える携帯電話管理手段１，３と、入退室管理対象の外側のドア付近に設けられ、使用者が入力する使用者識別情報による個人認証が成立した時に該使用者に上記入室許可が与えられていれば上記ドアを解錠するドア施解錠制御手段５〜７と、からなる。【選択図】図１
2007051479.tif 000002
【特許請求の範囲】
【請求項１】
入退室管理対象を使用する使用者が入力する使用者識別情報による個人認証成立および該使用者の携帯電話から読み出した携帯電話番号の正当性に基づき携帯電話を保管して預かることを条件に該使用者に入室許可を与える携帯電話管理手段と、入退室管理対象の外側のドア付近に設けられ、使用者が入力する使用者識別情報による個人認証が成立した時に該使用者に上記入室許可が与えられていれば上記ドアを解錠するドア施解錠制御手段と、からなることを特徴とする入退室管理システム。
【請求項２】
入退室管理対象の使用者の使用者識別情報と使用者の携帯電話番号を少なくとも含む個人情報が予め登録される個人情報登録手段を備え、
上記携帯電話管理手段が、上記登録された個人情報に基づき、使用者が入力する使用者識別情報による個人認証が成立し、さらに該使用者の携帯電話と有接触で電気的に接続されて読み出した携帯電話番号が上記登録された個人情報と一致した時に、携帯電話を接続した状態で保管して預かることを条件に該使用者に入室許可を与え、
上記ドア施解錠制御手段が、上記登録された個人情報に基づき、使用者が入力する使用者識別情報による個人認証が成立しかつ該使用者に上記入室許可が与えられている状態にあれば上記ドアを解錠する、
ことを特徴とする請求項１に記載の入退室管理システム。
【請求項３】
上記携帯電話管理手段は、保管している携帯電話との有接触の電気的接続が切れた時に上記入室許可を取り消すことを特徴とする請求項２に記載の入退室管理システム。
【請求項４】
上記携帯電話保管手段が、携帯電話を携帯電話番号を読み出すための内部に設けられた携帯電話保管コネクタに接続した状態で収納して電気錠が施錠されて保管する携帯電話保管ボックスを少なくとも１つ備え、上記携帯電話保管ボックスが、上記個人認証の成立と携帯電話番号の一致により使用者に入室許可を与える時点で施錠され、他方、入室許可を与えて携帯電話を保管している状態で、個人認証の成立により解錠された後、携帯電話が上記携帯電話保管コネクタから取り外された時に上記入室許可を取り消すことを特徴とする請求項２又は３に記載の入退室管理システム。
【請求項５】
上記携帯電話保管手段における携帯電話の携帯電話保管コネクタへの接続、取り外しを履歴として保存し、使用者の出退勤のデータとする出退勤データ生成手段をさらに備えたことを特徴とする請求項４に記載の入退室管理システム。
【請求項６】
入退室管理対象に施されている外部の警備システムと連動させ、上記携帯電話保管手段における各携帯電話保管ボックスの携帯電話保管コネクタに対して全ての携帯電話が取り外された状態で警備システムを稼働状態とし、１つでも携帯電話が接続されていれば警備システムを解除状態に切り換える制御信号を発生する外部警備システム制御手段をさらに備えたことを特徴とする請求項４に記載の入退室管理システム。
【発明の詳細な説明】
【技術分野】
【０００１】
この発明は、部屋や建物への入退室を管理する入退室管理システム、特に携帯型の端末を利用したものに関する。
【背景技術】
【０００２】
従来、端末を利用した入退室管理システムとして、無線送信部と通報スイッチと二次電池等を有し個室内において携帯される端末と、個室のドアの近傍に設置され、端末を着脱自在に支持し、端末が差し込まれた時に”Ｌ”の入退室信号を出力し、一方、端末が抜かれたとき”Ｈ”の入退室信号を出力する充電器と、入退室信号に基づいて、ドアの施錠制御を行うドア施錠装置および個室内の照明制御を行う照明制御装置を各々制御する制御装置を具備したものがあった(例えば特許文献１参照)。
【０００３】
【特許文献１】特開平１０−１６４６７０号公報
【発明の開示】
【発明が解決しようとする課題】
【０００４】
このような従来のシステムは、端末を充電器に抜き差しする動作でドアの施解錠および照明の点灯／消灯を制御する、不特定多数の入退室の管理を行うシステムに過ぎなかった。
【０００５】
この発明は、部屋等の入退室管理対象への入室時に使用者の携帯電話を保管して預かることで、個人レベルの入退室管理を行うと共に入退室管理のレベルの向上を図り、さらに携帯電話による情報漏洩を抑える等のより多様な管理機能を有する入退室管理システムを提供することを目的とする。
【課題を解決するための手段】
【０００６】
この発明は、入退室管理対象を使用する使用者が入力する使用者識別情報による個人認証成立および該使用者の携帯電話から読み出した携帯電話番号の正当性に基づき携帯電話を保管して預かることを条件に該使用者に入室許可を与える携帯電話管理手段と、入退室管理対象の外側のドア付近に設けられ、使用者が入力する使用者識別情報による個人認証が成立した時に該使用者に上記入室許可が与えられていれば上記ドアを解錠するドア施解錠制御手段と、からなることを特徴とする入退室管理システムにある。
【発明の効果】
【０００７】
この発明では、個人レベルの入退室管理を行うと共に入退室管理のレベルの向上が図れ、さらに携帯電話による情報漏洩を抑える等のより多様な管理機能を提供できる。
【発明を実施するための最良の形態】
【０００８】
実施の形態１．
図１はこの発明による入退室管理システムの構成の一例を示す図である。図１において、携帯電話管理ボックス１は個人認証を行ったり携帯電話を収納するボックスである。個人情報登録装置２は個人情報を予め登録する装置で、このシステム全体の管理を行うセンターとしてのセンター装置３と登録器４で構成される。ドア施解錠装置５は照合端末６において個人認証が成立して、解錠が許可された場合、管理対象の部屋のドア(共に図示省略)の電気錠７を解錠する。なお、個人情報登録装置２には携帯電話管理ボックス１、およびドア施解錠装置５と照合端末６と電気錠７からなる組は１つずつしか接続されていないが、これらが複数ずつ個人情報登録装置２に接続されて以下に説明する管理を同様にすることができる。
【０００９】
図２は携帯電話管理ボックス１の構成の一例を示す図である。図２において、携帯電話保管ボックス８は電気錠８ｂを設けた扉８ａが扇状に開く様式のものであり、拡大部分Ａで示すように、破線で示す携帯電話ＭＰを中の携帯電話保管コネクタ１３に接続して扉８ａを閉じ施錠した状態で保管する。個人認証部９は携帯電話を保管するに当たり、個人認証をするため、非接触ＩＤカード(図示省略)をかざす、又は生体情報による認証を行う部分である。個人認証を行う際、テンキー１０にて予め割り当てられている個人番号を入力する。ＬＣＤ(液晶表示装置)等からなる表示部１１には操作時のガイダンスやエラー発生時のメッセージやその他種々のメッセージが表示される。ＬＥＤ(発光ダイオード)等からなる状態表示部１２には、現在の各携帯電話保管ボックス８の携帯電話保管状態が表示される。そしてこれらを制御するコンピュータからなる制御部が設けられ、この制御部が個人情報登録装置２のセンター装置３のやはりコンピュータからなる制御部(共に図示せず)と通信を行う。
【００１０】
また入退室管理対象である部屋の使用者は個人情報登録装置２において、登録器４によりセンター装置３のデータベース３ａに、例えば図３に示すような、このシステムでの整理番号である「個人番号」、「氏名」、「携帯電話番号」、ＩＤや使用者の生体情報等からなる「個人認証情報」を含む個人情報を予め登録しておく。
【００１１】
なお、個人情報登録手段は個人情報登録装置２で構成され、携帯電話管理手段は携帯電話管理ボックス１および個人情報登録装置２のセンター装置３で構成され、ドア施解錠制御手段がドア施解錠装置５，照合端末６および電気錠７で構成され、出退勤データ生成手段および外部警備システム制御手段は携帯電話管理ボックス１および個人情報登録装置２のセンター装置３で構成される。また、ＩＤおよび生体情報を総称して個人認証情報、この個人認証情報と個人番号を総称して使用者識別情報とする。
【００１２】
以下、図４に示す入室時の動作フローチャートに従ってこのシステムの動作について説明する。なお使用者には例えば表示部１１で逐次、操作手順のガイダンスが表示される。入室時、管理対象の部屋の使用者は携帯電話管理ボックス１で、まずテンキー１０から個人番号が入力されると(ステップＳ４０１)、これがセンター装置３のデータベース３ａに図３に示すように個人情報として予め登録されているものか否かが判定される(ステップＳ４０２)。未登録であればエラーメッセージを表示部１１に表示し(ステップＳ４０３)、登録されていれば、次に表示部１１のガイダンスに従い、個人認証部９に対して非接触ＩＤカードをかざしてＩＤを入力するか又は使用者の生体情報を入力するかにより個人認証情報が入力されると、データベース３ａ中の先に登録された個人番号に対応する個人認証情報に基づき、ＩＤカード照合又は生体照合を行い(ステップＳ４０４)、個人番号とＩＤ又は生体情報がそれぞれに一致していれば(ステップＳ４０５)、個人認証成立となり、一致しない場合にはエラーメッセージを表示部１１に表示する(ステップＳ４０３)。
【００１３】
認証成立後、空いているいずれかの携帯電話保管ボックス８の電気錠８ｂが解錠され(ステップＳ４０６)、これが表示部１１や状態表示部１２で表示されると、使用者は該ボックス内の携帯電話保管コネクタ１３に自分の携帯電話ＭＰを接続する。なお携帯電話保管コネクタ１３は充電器を兼ねているものであってもよい。携帯電話がコネクタ１３に接続されているか否かを確認し(ステップＳ４０７)、接続されていなければ接続要求メッセージを表示部１１に表示する(ステップＳ４０８)。接続されていれば、携帯電話保管コネクタ１３を介して携帯電話ＭＰから携帯電話番号を読み出して取得し、携帯電話番号が登録された情報の携帯電話番号と同じであるか否かが判定され(ステップＳ４０９)、同じでなければエラーメッセージを表示部１１に表示し(ステップＳ４１０)、さらに接続要求メッセージを表示して携帯電話ＭＰの再確認や再接続を促す(ステップＳ４０８)。
【００１４】
そして携帯電話番号が一致すれば、携帯電話保管ボックス８の扉８ａが閉じられると電気錠８ｂを施錠し、携帯電話を保管して預かり、このように携帯電話の収納を確認するとセンター装置３にこれを通知し、センター装置３は自らのメモリ(図示せず)内に、例えば図６に示すように携帯電話を収納した個人すなわち使用者の個人番号に対して入室許可フラグ”１”を立てる(ステップＳ４１１)。またこれと同時に、携帯電話管理ボックス１の携帯電話ＭＰを保管した携帯電話保管ボックス８のボックス番号を記憶する。なおこのボックス番号は、携帯電話管理ボックス１側で個人番号と携帯電話ＭＰを保管したボックス番号の組合せとして記憶してもよい。
【００１５】
そして該使用者が管理対象の部屋の外側のドア付近に設置されている照合端末６まで行って、これに設けられている個人認証部９ａに対してステップＳ４０４と同様にして、非接触ＩＤカードをかざしてＩＤを入力するか又は使用者の生体情報を入力するかにより個人認証情報を入力すると、データベース３ａ中の先に登録された個人番号に対応する個人認証情報に基づき、ＩＤカード照合又は生体照合を行い(ステップＳ４１２)、個人番号とＩＤ又は生体情報がそれぞれに一致していれば(ステップＳ４１３)、ドア施解錠装置５により電気錠７へ解錠制御信号が入力され、電気錠７を一時解錠する(ステップＳ４１４)。これにより該使用者は入室が可能となる。
【００１６】
なお携帯電話管理ボックス１は、携帯電話が携帯電話保管ボックス８に格納され入室許可を与えた後も常に、携帯電話が電気的に接続されていること又は携帯電話から携帯電話番号が読み出せることを確認し、例えば携帯電話ＭＰが携帯電話保管コネクタ１３から意図的に取り外される等して電気的接続が切れたり、あるいは携帯電話番号が読み出せなくなった場合には、直ちにセンター装置３に通知して入室許可フラグを解除し、入室許可を取り消す。
【００１７】
次に図５に示す退室時の動作フローチャートに従ってこのシステムの動作について説明する。退室時も使用者には表示部１１で逐次、操作手順のガイダンスが表示される。なお、部屋のドアは内側からは施解錠状態に無関係に開放が可能で、例えばバネ力等で常に閉じた状態に戻るようにされており、閉じた状態に戻ると、外側からは施錠の状態で保持される。
【００１８】
使用者が部屋から退室し、携帯電話管理ボックス１で使用者によりテンキー１０から個人番号が入力されると(ステップＳ５０１)、図３に示すセンター装置３のデータベース３ａに登録されているものか否かが判定される(ステップＳ５０２)。未登録であればエラーメッセージを表示部１１に表示し(ステップＳ５０３)、登録されていれば、次に表示部１１のガイダンスに従い、個人認証部９に対して非接触ＩＤカードをかざしてＩＤを入力するか又は使用者の生体情報を入力するかにより個人認証情報が入力されると、データベース３ａ中の個人番号に対応する個人認証情報に基づき、ＩＤカード照合又は生体照合を行い(ステップＳ５０４)、個人番号とＩＤ又は生体情報がそれぞれに一致していれば(ステップＳ５０５)、個人認証成立となり、一致しない場合にはエラーメッセージを表示部１１に表示する(ステップＳ５０３)。
【００１９】
認証成立後、センター装置３又は携帯電話管理ボックス１に記憶されている個人番号と携帯電話を保管したボックス番号の情報に基づき、該使用者の携帯電話が保管されている該当携帯電話保管ボックス８の電気錠８ｂが解錠され(ステップＳ５０６)、これが表示部１１や状態表示部１２で表示され、使用者が該ボックス８の扉８ａを開けて中の携帯電話保管コネクタ１３から自分の携帯電話ＭＰを取り外すと、携帯電話がコネクタ１３から取り外されたことが確認される(ステップＳ５０７)。例えば携帯電話ＭＰとコネクタ１３の接続状態あるいは携帯電話ＭＰからの携帯電話番号の読み出しの可否等により携帯電話を取り外した確認がとれれば、センター装置３や携帯電話管理ボックス１に記憶されている図６に示した個人番号に対する入室許可フラグを”０”にして消し、同時に携帯電話を保管したボックス番号の情報も消す(ステップＳ５０８)。
【００２０】
なお、各携帯電話保管ボックス８の扉８ａも開放後は必ず閉じて施錠された状態に戻されなければならないが(扉８ａの電気錠８ｂもドアの電気錠７も共に閉じると自動施錠される)、管理対象の部屋のドアと同様に、例えばバネ力等で常に閉じた状態に戻るような構造のものが望ましい。また、そのような機能を有しない携帯電話保管ボックス８であれば、例えば表示部１１に表示をして、使用者に携帯電話の接続後や取り外し後に携帯電話保管ボックス８の扉８ａを閉じるようにガイドする必要がある。またこのことを考慮すると、上記ステップＳ５０７では、使用者が該ボックス８の扉８ａを開けて中の携帯電話保管コネクタ１３から自分の携帯電話ＭＰを取り外した後、該ボックス８の扉８ａを閉じて施錠状態にする。そしてこの時点で、携帯電話がコネクタ１３から取り外されたことを確認するようにしてもよい。
【００２１】
また、管理対象の部屋のドアは内側からは施解錠状態に無関係に開放が可能なものとして説明したが、部屋の内側のドア付近に外側と同様の照合端末６を設置して、退室時も入室時と同様に個人認証により解錠を行うようにしてもよい。また入退室管理対象は部屋だけでなく、外界と隔てられていてドアで出入りが管理されている建物や種々のスペース等の領域であればよい。
【００２２】
また、登録後の個人情報照会では基本的に携帯電話番号は見られないようにするが、操作者によっては(例えば本人：個人番号や個人認証情報の入力、照合により判断)、照会可能とする。
【００２３】
また、携帯電話管理ボックス１における携帯電話ＭＰの携帯電話保管コネクタ１３への接続／取り外しを、例えば図７に示すように年、月、日、時間の時間データで履歴としてセンター装置３又は携帯電話管理ボックス１で保存し(出退勤データ生成手段)、これを出退勤システムのデータとして利用することも可能である。時間はコンピュータが内蔵する時計機能から得る。これはセンター装置３および携帯電話管理ボックス１で行われる。
【００２４】
更に、建物や部屋に施されている本システム以外の外部の警備システム(図示せず)と連動させて、各携帯電話保管ボックス８の携帯電話管理ボックス１において全ての携帯電話が取り外された状態であれば警備システムを稼働状態とし、１つでも携帯電話が接続されていれば警備システムを解除状態に切り換える制御信号を発生するという運用も可能である(外部警備システム制御手段)。これはセンター装置３および携帯電話管理ボックス１で行われる。
【００２５】
また、使用者識別情報として個人番号と個人認証情報を使用しているが、個人番号をやめて、個人番号の照合の部分を全てＩＤ又は生体情報からなる個人認証情報の照合で行うようにしてもよい。
【００２６】
このようにして、個人レベル高度な入退室管理が行えると共に、携帯電話を管理対象の建物や部屋内に持ち込ませないことにより、携帯電話による外部への情報漏洩を抑えることもでき、１つのシステムで入退室管理と携帯電話の管理が実現できる。
【図面の簡単な説明】
【００２７】
【図１】この発明による入退室管理システムの構成の一例を示す図である。
【図２】この発明の携帯電話管理ボックスの構成の一例を示す図である。
【図３】この発明における個人情報の一例を示す図である。
【図４】この発明による入退室管理システムの入室時の動作を説明するためのフローチャートである。
【図５】この発明による入退室管理システムの退室時の動作を説明するためのフローチャートである。
【図６】この発明における入室許可フラグおよびボックス番号の記憶形態の一例を示す図である。
【図７】この発明における携帯電話の携帯電話保管コネクタへの接続／取り外しを年、月、日、時間の時間データで履歴として保存する記憶形態の一例を示す図である。
【符号の説明】
【００２８】
１  携帯電話管理ボックス、２  個人情報登録装置、３  センター装置、３ａ  データベース、４  登録器、５  ドア施解錠装置、６  照合端末、７  電気錠、８  携帯電話保管ボックス、８ａ  扉、８ｂ  電気錠、９，９ａ  個人認証部、１０  テンキー、１１  表示部(ＬＣＤ)、１２  状態表示部(ＬＥＤ)、１３  携帯電話保管コネクタ、ＭＰ  携帯電話。
【図１】
2007051479.tif 000003
【図２】
2007051479.tif 000004
【図３】
2007051479.tif 000005
【図４】
2007051479.tif 000006
【図５】
2007051479.tif 000007
【図６】
2007051479.tif 000008
【図７】
2007051479.tif 000009